(57)【特許請求の範囲】
【請求項１】
かごドアを有するかごと、乗場に設けられる乗場ドアとを備えるエレベータであって、該エレベータの利用者の特性に応じてかごドア及び乗場ドアの開閉を制御する特別仕様に対応するエレベータのエレベータ制御装置において、
前記利用者の行先階を設定するための行先階設定部を有するかご操作部と、
前記利用者のかごへの乗降の有無、及び、前記利用者が前記特別仕様を適用する適用者であるか若しくは該適用者以外の一般利用者であるかを検出する利用者検出部と、
該利用者検出部が前記利用者の前記かごへの乗車を検出したときの利用者の組み合わせによって、前記行先階設定部で行先階として新たに登録された新規登録の行先階又は行先階として既に登録されていた既登録の行先階を、前記特別仕様を適用する行先階に登録する制御と、前記利用者検出部が前記かごに乗車したすべての前記特別仕様を適用する適用者が前記かごから降車したことを検出したときに、前記特別仕様を適用する行先階として登録されていたすべての既登録の行先階を、前記特別仕様を適用する行先階から取り消す制御と、を行う制御部と
を備えるエレベータ制御装置。
【請求項２】
かごドアを有するかごと、乗場に設けられる乗場ドアとを備えるエレベータであって、該エレベータの利用者の特性に応じてかごドア及び乗場ドアの開閉を制御する特別仕様に対応するエレベータのエレベータ制御装置において、
前記利用者の行先階を設定するための行先階設定部を有するかご操作部と、
前記利用者のかごへの乗降の有無、及び、前記利用者が前記特別仕様を適用する適用者であるか若しくは該適用者以外の一般利用者であるかを検出する利用者検出部と、
該利用者検出部が前記かごに乗車する適用者を検出したときに前記行先階設定部に設定された前記行先階を、前記特別仕様を適用する行先階に登録する制御部であって、前記利用者検出部が前記かごに乗車する適用者を検出した階床で前記行先階設定部に前記行先階が登録されなかったときに、既に前記行先階として登録されていた既登録の行先階を、前記特別仕様を適用する行先階に登録する制御と、前記利用者検出部が前記かごに乗車したすべての前記特別仕様を適用する適用者が前記かごから降車したことを検出したときに、前記特別仕様を適用する行先階として登録されていたすべての既登録の行先階を、前記特別仕様を適用する行先階から取り消す制御と、を行う制御部と
を備えるエレベータ制御装置。
【請求項３】
前記利用者検出部は、
前記かごを乗り降りする利用者を検出する検出部と、
前記検出部が前記利用者を検出した検出時間が所定時間未満であるとき、前記利用者が一般利用者であると識別する利用者識別部であって、前記検出時間が所定時間以上であるとき、前記利用者が前記特別仕様を適用する適用者であると識別する利用者識別部と
を備える請求項１又は請求項２に記載のエレベータ制御装置。
【請求項４】
前記利用者検出部は、
前記かごに乗車する利用者の通路上における乗場側の第一位置にいる前記利用者を検出する第一検出部と、
前記通路上における前記第一位置よりもかご側の第二位置にいる前記利用者を検出する第二検出部と、
前記第一検出部が前記第二検出部よりも先に前記利用者を検出したときに、前記かごに乗車する前記利用者が検出されたと識別する乗車識別部と、
前記第二検出部が前記第一検出部よりも先に前記利用者を検出したときに、前記かごに降車する前記利用者が検出されたと識別する降車識別部と、
を備える請求項１乃至請求項３の何れか１項に記載のエレベータ制御装置。
【発明の詳細な説明】
【技術分野】
【０００１】
本発明は、エレベータの利用者の特性に応じて行先階のドアの開閉を制御する特別仕様に対応したエレベータのエレベータ制御装置に関する。
【背景技術】
【０００２】
エレベータは、かごと、該かごを鉛直方向に案内するガイドレールと、釣合い錘（カウンターウェイト）と、かごと釣合い錘とを連結するロープと、該ロープを巻き上げる巻上機とを備える。かごは、乗降口を有するかご本体と、該かご本体の乗降口を開閉可能なかごドアと、該かごドアを駆動して開閉するかご側ドア開閉装置とを備える。また、各階床の乗場には、乗降口と、該乗降口を開閉可能な乗場ドアが設けられ、乗場ドアは、かごドアの駆動によって開閉する。
【０００３】
更に、エレベータには、かごを乗場まで昇降させる巻上機と、かごドア及び乗場ドアを開閉させるためのかご側ドア開閉装置を制御するエレベータ制御装置とが設けられている。
【０００４】
エレベータ制御装置は、かごの昇降を制御するかご制御装置と、かごドア及び乗場ドアの開閉を制御するドア制御装置とを備える。かご制御装置は、エレベータの利用者の行先階を設定するための行先階設定部を有するかご操作部を備える。そして、かご制御装置は、行先階設定部で設定された行先階にかごが昇降されるように、巻上機を制御する。ドア制御装置は、かごドア及び乗場ドアが開閉するために、かご側ドア開閉装置を制御する。
【０００５】
ところで、エレベータの中には、アクセシビリティの向上のため、エレベータの利用者の特性に応じて行先階のドアの開閉を制御する特別仕様に対応したエレベータがある。この特別仕様の適用を受ける適用者（以下、単に「適用者」と総称する）は、例えば、車椅子利用者や視聴覚障害者、高齢者などである。この特別仕様に対応したエレベータのかご制御装置には、一般利用者が操作する一般用のかご操作盤の他に、適用者が操作する特別仕様のかご操作盤が設けられる。一般用のかご操作盤及び特別仕様のかご操作盤のそれぞれには、行先階設定部が設けられる。一般用のかご操作盤の行先階設定部で選択された行先階は、一般利用者の行先階と認識され、特別仕様のかご操作盤の行先階設定部で選択された行先階は、特別仕様の適用者の行先階と認識される。そして、ドア制御装置は、適用者の行先階でのかごドア及び乗場ドアの戸開時間を、一般利用者の行先階でのかごドア及び乗場ドアの戸開時間よりも長く設定する（特許文献１参照）。
【０００６】
すべてのエレベータがこのような特別仕様に対応していることが好ましい。しかしながら、特別仕様のエレベータでは、一般用のかご操作盤を設け、更に、特別仕様を適用する行先階を設定するために特別仕様のかご操作盤を設ける必要がある。このため、特別仕様のエレベータは、一般用のエレベータと比べて、設置費用が高くなる。
【０００７】
そこで、一般利用者と適用者に対して別々のかご操作盤で行先階設定部を設けるのではなく、共通のかご操作盤の行先階設定部を操作して行先階を設定できるようになれば、特別仕様に対応したエレベータの設置費用が低く抑えられる。しかし、一般利用者と適用者とが共通のかご操作盤の行先階設定部を操作して行先階を選択した場合、一般利用者の行先階と適用者の行先階とを区別して認識することができなくなる。よって、エレベータの利用者の特性に応じて行先階のドアの戸開時間を変更することができない。
【０００８】
若しくは、常に特別仕様が適用されるようにエレベータを運用する場合、一般利用者のみが降車する階床においても特別仕様が適用されるため、一般利用者のかごへの乗り降り時にも戸開閉にかかる時間が長くなり、エレベータの運用効率が低くなる恐れがある。
【先行技術文献】
【特許文献】
【０００９】
【特許文献１】特開２００５−２３１８１３号公報
【発明の概要】
【発明が解決しようとする課題】
【００１０】
そこで、本発明は、エレベータの利用者が共通の行先階設定部を操作して行先階を選択しても、特別仕様の適用を受ける適用者の行先階に対して特別仕様を適用できるとともに、エレベータの運用効率が低下しにくいエレベータ制御装置を提供することを課題とする。
【課題を解決するための手段】
【００１１】
本発明に係るエレベータ制御装置は、かごドアを有するかごと、乗場に設けられる乗場ドアとを備えるエレベータであって、該エレベータの利用者の特性に応じてかごドア及び乗場ドアの開閉を制御する特別仕様に対応するエレベータのエレベータ制御装置において、前記利用者の行先階を設定するための行先階設定部を有するかご操作部と、前記利用者のかごへの乗降の有無、及び、前記利用者が前記特別仕様を適用する適用者であるか若しくは該適用者以外の一般利用者であるかを検出する利用者検出部と、該利用者検出部が前記利用者の前記かごへの乗車を検出したときの利用者の組み合わせによって、前記行先階設定部で行先階として新たに登録された新規登録の行先階又は行先階として既に登録されていた既登録の行先階を、前記特別仕様を適用する行先階に登録する制御と、前記利用者検出部が前記かごに乗車したすべての前記特別仕様を適用する適用者が前記かごから降車したことを検出したときに、前記特別仕様を適用する行先階として登録されていたすべての既登録の行先階を、前記特別仕様を適用する行先階から取り消す制御と、を行う制御部とを備える。
【００１２】
かかる構成によれば、利用者検出部は、エレベータの利用者の中から特別仕様を適用する適用者と一般利用者とを区別して判別できる。そして、適用者の行先階は、利用者検出部が適用者を検出した階床で適用者により若しくは適用者と共にかごに乗り込んだ利用者により新たに登録された新規登録の行先階又は他の階床で設定されて既に登録されていた既登録の行先階のいずれかの行先階に含まれる。制御部は、これらの行先階に特別仕様を適用する。よって、一般利用者と適用者とが共通の行先階設定部を操作して行先階を選択しても、制御部は、適用者の行先階に特別仕様を適用できる。
また、かかる構成によれば、制御部は、適用者の行先階である可能性のあるすべての行先階に特別仕様を適用するため、適用者の行先階以外の行先階にも特別仕様が適用されている。しかしながら、利用者検出部は、かごに乗車したすべての適用者がかごから降りたことを検出できるため、すべての適用者がかごから降りた後、制御部は、特別仕様を適用する行先階として登録されたすべての行先階を取り消す。よって、エレベータは、一般用のエレベータとして運用できるようになる。従って、適用者に特別仕様を確実に提供しつつ、エレベータの運用効率の低下を抑えることができる。
【００１３】
また、本発明に係るエレベータ制御装置は、かごドアを有するかごと、乗場に設けられる乗場ドアとを備えるエレベータであって、該エレベータの利用者の特性に応じてかごドア及び乗場ドアの開閉を制御する特別仕様に対応するエレベータのエレベータ制御装置において、前記利用者の行先階を設定するための行先階設定部を有するかご操作部と、前記利用者のかごへの乗降の有無、及び、前記利用者が前記特別仕様を適用する適用者であるか若しくは該適用者以外の一般利用者であるかを検出する利用者検出部と、該利用者検出部が前記かごに乗車する前記適用者を検出したときに前記行先階設定部に設定された前記行先階を、前記特別仕様を適用する行先階に登録する制御部であって、前記利用者検出部が前記かごに乗車する適用者を検出した階床で前記行先階設定部に前記行先階が登録されなかったときに、既に前記行先階として登録されていた既登録の行先階を、前記特別仕様を適用する行先階に登録する制御と、前記利用者検出部が前記かごに乗車したすべての前記特別仕様を適用する適用者が前記かごから降車したことを検出したときに、前記特別仕様を適用する行先階として登録されていたすべての既登録の行先階を、前記特別仕様を適用する行先階から取り消す制御と、を行う制御部とを備える。
【００１４】
かかる構成によれば、利用者検出部は、エレベータの利用者の中から特別仕様を適用する適用者と一般利用者とを区別して判別できる。そして、適用者の行先階は、利用者検出部が適用者を検出した階床で適用者により若しくは適用者と共にかごに乗り込んだ利用者により新たに登録された新規登録の行先階に含まれる。しかし、適用者がかごに乗り込んだ際に既に適用者の行先階が行先階として登録されている場合、適用者は、行先階設定部に行先階を設定しない。このため、利用者検出部が適用者を検出した階床で行先階設定部に行先階が設定されなかったときは、既に行先階として設定されている既登録の行先階に特別仕様を適用する。よって、一般利用者と適用者とが共通の行先階設定部を操作しない場合においても、制御部は、適用者の行先階に特別仕様を適用できる。
また、かかる構成によれば、制御部は、適用者の行先階である可能性のあるすべての行先階に特別仕様を適用するため、適用者の行先階以外の行先階にも特別仕様が適用されている。しかしながら、利用者検出部は、かごに乗車したすべての適用者がかごから降りたことを検出できるため、すべての適用者がかごから降りた後、制御部は、特別仕様を適用する行先階として登録されたすべての行先階を取り消す。よって、エレベータは、一般用のエレベータとして運用できるようになる。従って、適用者に特別仕様を確実に提供しつつ、エレベータの運用効率の低下を抑えることができる。
【００１７】
また、本発明に係るエレベータ制御装置の他の態様として、前記利用者検出部は、前記かごを乗り降りする利用者を検出する検出部と、前記検出部が前記利用者を検出した検出時間が所定時間未満であるとき、前記利用者が一般利用者であると識別する利用者識別部であって、前記検出時間が所定時間以上であるとき、前記利用者が前記特別仕様を適用する適用者であると識別する利用者識別部とを備える、ようにすることができる。
【００１８】
かかる構成によれば、利用者識別部は、検出部が利用者を検出した検出時間から、利用者が検出部の検出位置を通過するのに要する時間を検出する。そして、利用者識別部は、検出時間が所定時間以上であれば、利用者が検出位置を通過するのに時間のかかる適用者であると識別できる。一方、利用者識別部は、検出時間が所定時間未満であれば、利用者が検出位置を通過するのに時間のかからない一般利用者であると識別できる。
【００１９】
また、本発明に係るエレベータ制御装置の他の態様として、前記利用者検出部は、前記かごに乗車する利用者の通路上における乗場側の第一位置にいる前記利用者を検出する第一検出部と、前記通路上における前記第一位置よりもかご側の第二位置にいる前記利用者を検出する第二検出部と、前記第一検出部が前記第二検出部よりも先に前記利用者を検出したときに、前記かごに乗車する前記利用者が検出されたと識別する乗車識別部と、前記第二検出部が前記第一検出部よりも先に前記利用者を検出したときに、前記かごに降車する前記利用者が検出されたと識別する降車識別部とを備える、ようにすることができる。
【００２０】
かかる構成によれば、第一検出部及び第二検出部がかごに乗車する利用者又は降車する利用者の通路上の第一位置及び第二位置を通過する利用者を検出することができる。そして、乗車識別部は、第一検出部及び第二検出部が利用者を検出する順序を検出することにより、利用者がかごの外側から内側に向かっているか否かを識別することができる。つまり、乗場側の第一位置にいる利用者を検出する第一検出部が第二検出部より先に利用者を検出すると、利用者は、乗場側の第一位置からかご側の第二位置に向かっていることが判断できる。よって、利用者の進行方向が特定でき、乗車識別部は、かごに乗車する利用者を検出することができる。
【００２１】
また、降車識別部は、第一検出部及び第二検出部が利用者を検出する順序を検出することにより、利用者がかごの内側から外側に向かっているか否かを識別することができる。つまり、かご側の第二位置にいる利用者を検出する第二検出部が第一検出部より先に利用者を検出すると、利用者は、かご側の第二位置から乗場側の第一位置に向かっていることが判断できる。よって、利用者の進行方向が特定でき、降車識別部は、かごに降車する利用者を検出することができる。
【発明の効果】
【００２２】
本発明に係るエレベータ制御装置によれば、エレベータの利用者が共通の行先階設定部を操作して行先階を選択しても、特別仕様の適用を受ける適用者の行先階に対して特別仕様を適用できるとともに、エレベータの運用効率が低下しにくい。
【図面の簡単な説明】
【００２３】
【図１】図１は、エレベータの全体構成を示す斜視図である。
【図２】図２は、一実施形態に係るかごに利用者が乗車する状態を示す断面図である。
【図３】図３は、同実施形態に係るエレベータ制御装置のブロック図である。
【図４】図４は、車椅子利用者の位置と検出部の出力状態との関係を示す説明図である。
【図５】図５は、同実施形態に係るエレベータ制御装置における利用者の行先階の登録処理に関する制御フロー図である。
【図６】図６は、同実施形態に係るエレベータ制御装置における利用者の行先階の登録処理に関する制御フロー図である。
【図７】図７は、同実施形態に係るエレベータ制御装置における利用者が乗場操作盤を操作して、かごに乗車するときの制御フロー図である。
【図８】図８は、同実施形態に係るエレベータ制御装置におけるドアの開閉制御に関する制御フロー図である。
【発明を実施するための形態】
【００２４】
以下、本発明に係るエレベータ制御装置の一実施形態について説明する。まず、本発明に係るエレベータの概要について、図１を参照しながら説明する。図１は、エレベータの全体構成を示す斜視図である。図１は、機械室を有していない、いわゆるマシンルームレスタイプのエレベータを例示する。
【００２５】
エレベータは、図１に示すように、かごドア１を有するかご２と、各乗場３に設けられる乗場ドア４とを備える。また、エレベータは、かご２を上下方向に案内するガイドレール５，５と、釣合い錘（カウンターウェイト）６と、かご２と釣合い錘６とを連結するロープ７と、該ロープ７を巻き上げる巻上機８と、を昇降路９内に備える。
【００２６】
さらに、エレベータは、ロープ７を巻きかけるために、昇降路９の上部に配置されている返し車１０を備える。エレベータは、巻上機８を制御するための制御盤１１と、エレベータの速度を調速するための調速機１２と、緩衝器１３と、を昇降路９の下部に備える。また、エレベータは、かご２の上部にエレベータ制御装置２１を備える。
【００２７】
エレベータは、巻上機８を駆動することにより、かご２をガイドレール５に沿って昇降させる。巻上機８は、トラクションシーブ１４を備える。巻上機８は、トラクションシーブ１４を介してロープ７を動かすことにより、かご２を昇降させることができる。
【００２８】
釣合い錘６は、ロープ７を介してかご２に連結されているため、かご２の昇降に応じて、かご２の動きとは逆に昇降する。釣合い錘６がかご２に連結されることにより、巻上機８は、小さな動力で、かご２を昇降させることができる。調速機１２は、かご２の昇降の速度が規定以上になったときに、かご２を停止させることができる。緩衝器１３は、かご２に接触したときの衝撃を緩和することができる。
【００２９】
このようにして、かご２は、昇降路９をガイドレール５に沿って昇降するとともに、建物の各階床に設けられる乗場３に停止できる。
【００３０】
また、エレベータは、該エレベータの利用者の特性に応じてかごドア１及び乗場ドア４（以下、単に「ドア１，４」と総称する）の開閉を制御する特別仕様に対応している。本実施形態におけるエレベータの特別仕様は、車椅子利用者の特性に応じてドア１，４の開閉を制御する車椅子仕様とする。具体的には、車椅子利用者が降車する階床では、ドア１，４の開閉速度が、一般利用者が降車する階床におけるドア１，４の開閉速度よりも遅く設定されている。また、車椅子利用者が降車する階床におけるドア１，４が全開から閉じる動作を開始するまでの時間（以下、単に「戸開時間」と称する）が、一般利用者が降車する階床におけるドア１，４の戸開時間よりも長く設定されている。
【００３１】
かご２は、図１に示すように、乗降口１５を有するかご本体１６と、該かご本体１６の乗降口１５を開閉可能なかごドア１と、該かごドア１を駆動して開閉するかご側ドア開閉装置１７とを備える。
【００３２】
各階床の乗場３には、乗降口１８と、該乗降口１８を開閉可能な乗場ドア４が設けられている。
【００３３】
エレベータには、ドア１，４を開閉させるために、かご側ドア開閉装置１７を制御するエレベータ制御装置２１が設けられている。
【００３４】
次に、本発明に係るエレベータ制御装置の一実施形態について、説明する。図２に示すように、エレベータ制御装置２１は、利用者の行先階を設定するための行先階設定部２２ａを有するかご操作部２２と、利用者のかご２への乗降の有無、及び、利用者が（特別仕様としての）車椅子仕様を適用する車椅子利用者Ｐであるか若しくは該車椅子利用者Ｐ以外の一般利用者であるかを検出する利用者検出部２３と、該利用者検出部２３が利用者のかご２への乗車を検出したときの利用者の組み合わせによって、行先階設定部２２ａで行先階として新たに登録された新規登録の行先階又は行先階として既に登録されていた既登録の行先階を、車椅子仕様を適用する行先階に登録する制御部２４とを備える。
【００３５】
具体的には、図３に示すように、エレベータ制御装置２１は、かご２の昇降を制御するかご制御装置２５と、ドア１，４の開閉を制御するドア制御装置２６とを備える。かご制御装置２５は、行先階設定部２２ａで設定された行先階にかご２が昇降されるように、巻上機８（図１参照）を制御する。ドア制御装置２６は、かご２が行先階に到着した後にドア１，４が開閉されるように、かご側ドア開閉装置１７（図１参照）を制御する。
【００３６】
かご制御装置２５には、かご操作部２２と、利用者検出部２３と、制御部２４とが設けられる。
【００３７】
かご操作部２２は、かご２の内部に設けられるかご操作盤２２Ａ（図２参照）と、各階床の乗場３に設けられる乗場操作盤２２Ｂ（図１参照）とに設けられる。かご操作盤２２Ａ及び乗場操作盤２２Ｂは、車椅子利用者Ｐの手の届く高さに配置される。かご操作部２２は、図２及び図３に示すように、行先階設定部２２ａの他に、ドア１，４の戸開時間を延長する戸開延長操作部２２ｂと、ドア１，４を開閉する開閉操作部２２ｃとを備える。行先階設定部２２ａ、戸開延長操作部２２ｂ及び開閉操作部２２ｃは、押しボタンスイッチである。なお、戸開延長操作部２２ｂは設けられなくてもよい。
【００３８】
利用者検出部２３は、図２に示すように、かご２に乗車する利用者の通路上における乗場３側の第一位置Ｐ１にいる利用者を検出する第一検出部２７と、通路上における第一位置Ｐ１よりもかご２側の第二位置Ｐ２にいる利用者を検出する第二検出部２８とを備える。
【００３９】
また、利用者検出部２３は、更に、図３に示すように、かご２を乗り降りする利用者を検出する少なくとも第一検出部２７及び第二検出部２８のいずれかの検出部が利用者を検出した検出時間が所定時間未満であるとき、利用者が一般利用者であると識別する利用者識別部２９であって、検出時間が所定時間以上であるとき、利用者が車椅子仕様を適用する車椅子利用者Ｐであると識別する利用者識別部２９を備える。
【００４０】
第一検出部２７及び第二検出部２８は、光電式センサである。例えば、本実施形態における第一検出部２７は、図２に示すように、かごドア１側の乗降口の上方フレーム１６ａに設置される。第一検出部２７は、乗場３に存在する物体に赤外線ビームなどを照射して該物体を検出する。また、第二検出部２８は、かごドア１の一対のパネル間に存在する物体に多光軸の赤外線ビームなどを照射して該物体を検出する。なお、物体には、エレベータを利用する利用者の他に、カートなども含まれる。
【００４１】
本実施形態における利用者検出部２３は、車椅子利用者Ｐがかご２に乗車し始める位置からかご２に乗車し終える位置までの間のいずれかの位置にいる車椅子利用者Ｐを検出できるように構成されている。車椅子利用者Ｐがかご２に乗車し始める位置とは、具体的には、かご２に乗車しようとしている車椅子利用者Ｐの足の先端位置又はフットサポート（プレート）の先端位置である。また、車椅子利用者Ｐがかご２に乗車し終える位置とは、具体的には、かご２に乗車した車椅子利用者Ｐの車椅子の後輪の後端位置であり、本実施形態では、乗降口の下方敷居１６ｂの位置である。
【００４２】
第一検出部２７は、図３に示すように、赤外線ビームを照射する第一照射部２７ａと、該第一照射部２７ａが照射する赤外線ビームからの反射光量の変化を検出する第一受光部２７ｂとを備える。
【００４３】
第一照射部２７ａは、発光ダイオードであり、第一受光部２７ｂは、フォトトランジスタである。第一照射部２７ａは、かご２の乗降口の上方フレーム１６ａに設置されている。第一照射部２７ａは、かご２の乗降口の上方フレーム１６ａから乗場３の床面に向かって赤外線ビームを照射する。第一照射部２７ａは、ドア１，４が戸開後に有効となり、赤外線ビームの照射を開始する。第一受光部２７ｂは、赤外線ビームの反射光量の変化を検出していないときに信号を出力する（出力信号：ＯＮ）。しかし、第一受光部２７ｂは、赤外線ビームの反射光量の変化を検出しているとき、信号を出力しない（出力信号：ＯＦＦ）。
【００４４】
第二検出部２８は、多光軸の赤外線ビームを照射する第二照射部２８ａと、該第二照射部２８ａが照射する多光軸の赤外線ビームを検出する第二受光部２８ｂとを備える。
【００４５】
第二照射部２８ａ及び第二受光部２８ｂは、かご２の乗降口１５の間口方向（幅方向）に対向して配置される。具体的には、第二照射部２８ａは、かご２におけるかごドア１の一対のパネルのうちの一方のパネルにおける間口方向の端面に配置されている。第二受光部２８ｂは、かご２におけるかごドア１の一対のパネルのうちの他方のパネルにおける第二照射部２８ａと対向する端面に配置されている。なお、第二照射部２８ａ及び第二受光部２８ｂのいずれか一方は、第二照射部２８ａ及び第二受光部２８ｂのいずれか他方を備えたかごドア１のパネルの端面に対向するかご２の乗降口１５を形成する面に配置されていてもよい。
【００４６】
第二照射部２８ａは、第二受光部２８ｂに向かって多光軸の赤外線ビームを照射する。第二照射部２８ａは、ドア１，４が戸開後に有効となり、多光軸の赤外線ビームの照射を開始する。第二受光部２８ｂは、多光軸の赤外線ビームの遮断を検出していないときに信号を出力する（出力信号：ＯＮ）。しかし、第二受光部２８ｂは、多光軸の赤外線ビームの遮断を検出しているとき、信号を出力しない（出力信号：ＯＦＦ）。
【００４７】
利用者識別部２９は、第一検出部２７の第一照射部２７ａが照射する赤外線ビームが遮断されて、第一受光部２７ｂに赤外線ビームの反射光量の変化が検出された第一遮断時間を計測する第一計測部２９ａと、第二検出部２８の第二照射部２８ａが照射する多光軸の赤外線ビームの遮断が検出された第二遮断時間を計測する第二計測部２９ｂと、第一検出部２７が第二検出部２８よりも先に利用者を検出したときに、かご２に乗車する利用者が検出されたと識別する乗車識別部２９ｃ（図３参照）と、第二検出部２８が第一検出部２７よりも先に利用者を検出したときに、かご２に降車する利用者が検出されたと識別する降車識別部２９ｄ（図３参照）と、第一計測部２９ａが計測した第一遮断時間及び第二計測部２９ｂが計測した第二遮断時間により利用者が一般利用者であるか、車椅子利用者Ｐであるかを判定する判定部２９ｅとを備える。
【００４８】
乗車識別部２９ｃは、第一検出部２７の第一受光部２７ｂからの信号が第二検出部２８の第二受光部２８ｂからの信号よりも先に検出したときに、利用者が乗車したと識別する。
【００４９】
降車識別部２９ｄは、第二検出部２８の第二受光部２８ｂからの信号が第一検出部２７の第一受光部２７ｂからの信号よりも先に検出したときに、利用者が降車したと識別する。
【００５０】
判定部２９ｅは、赤外線ビームが照射された第一位置Ｐ１を利用者が通過するのにかかる通過時間と、多光軸の赤外線ビームが照射された第二位置Ｐ２を利用者が通過するのにかかる通過時間を記憶している。判定部２９ｅは、第一計測部２９ａが計測した第一遮断時間がこの通過時間以上であり、且つ、第二計測部２９ｂが計測した第二遮断時間がこの通過時間以上であれば、赤外線ビームを遮断した利用者を車椅子利用者であると判定する。一方、判定部２９ｅは、第一計測部２９ａが計測した第一遮断時間及び第二計測部２９ｂが計測した第二遮断時間のいずれか一方がこの通過時間未満であれば、赤外線ビームを遮断した利用者を一般利用者と判定する。
【００５１】
そして、判定部２９ｅは、乗車識別部２９ｃ及び降車識別部２９ｄからの信号に基づいて、一般利用者の乗車であるか、一般利用者の降車であるか、車椅子利用者の乗車であるか、若しくは、車椅子利用者の降車か否かを判定する。
【００５２】
制御部２４は、利用者検出部２３からの出力信号を受信する受信部２４ａと、かご操作部２２の行先階設定部２２ａから行先階として設定された行先階を取得する階床情報取得部２４ｂと、該階床情報取得部２４ｂから取得した行先階を記憶する行先階記憶部２４ｃと、利用者検出部２３から車椅子利用者が検出された旨の出力信号を受信したときに階床情報取得部２４ｂから取得した行先階を、特別仕様を適用する行先階として記憶する車椅子仕様階床記憶部２４ｄとを備える。
【００５３】
具体的には、制御部２４は、利用者検出部２３がかご２に乗車する車椅子利用者を検出したときに行先階設定部２２ａに設定された行先階を、車椅子仕様を適用する行先階に登録する。または、制御部２４は、利用者検出部２３がかご２に乗車する車椅子利用者を検出した階床で行先階設定部２２ａに行先階が登録されなかったときに、既に行先階として登録されている既登録の行先階を、車椅子仕様を適用する行先階に再登録する。
【００５４】
更に、制御部２４は、利用者検出部２３がかご２に乗車したすべての車椅子仕様を適用する車椅子利用者がかご２から降車したことを検出したときに、車椅子仕様を適用する行先階として登録されていたすべての行先階を、車椅子仕様を適用する行先階から取り消し、一般仕様を適用する行先階として再登録するように構成されている。
【００５５】
ドア制御装置２６は、図１に示すように、ドア１，４が開閉するために、かご側ドア開閉装置１７を制御する。ドア制御装置２６は、利用者が乗場３にかご２を呼ぶための乗場側操作部１９を乗場操作盤２２Ｂに備える。
【００５６】
次に、かご２に乗車する利用者の検出について図面を参照しつつ説明する。図３及び図４の（ａ）に示すように、車椅子利用者Ｐが乗場３に設けられた乗場ドアの前にいる。このとき、第一検出部２７及び第二検出部２８の出力は、それぞれＯＮ状態にある。そして、図３及び図４の（ｂ）に示すように、車椅子利用者Ｐがかご２の手前の第一位置Ｐ１を通過すると、車椅子利用者Ｐは、第一照射部２７ａが照射する赤外線ビームの第一照射領域Ａ１を遮断して、第一受光部２７ｂの出力がＯＦＦに遷移する。第一受光部２７ｂの出力がＯＦＦに遷移するのと同時に、第一計測部２９ａは、第一遮断時間の計測を開始する。このとき、第二検出部２８（の第二受光部２８ｂ）の出力は、ＯＮ状態のままである。
【００５７】
車椅子利用者Ｐが更にかご２側に進み、図３及び図４の（ｃ）に示すように、第二位置Ｐ２を通過すると、車椅子利用者Ｐは、第二照射部２８ａが照射する多光軸の赤外線ビームの第二照射領域Ａ２を遮断して、第二受光部２８ｂの出力がＯＦＦに遷移する。第二受光部２８ｂの出力がＯＦＦに遷移するのと同時に、第二計測部２９ｂは、第二遮断時間の計測を開始する。このとき、第一検出部２７の出力は、ＯＦＦ状態のままである。
【００５８】
そして、図３及び図４の（ｄ）に示すように、車椅子利用者Ｐが第一位置Ｐ１を超えて、かご２に乗り移ると、第一照射部２７ａが照射する赤外線ビームの遮断状態が解消されて、第一検出部２７の第一受光部２７ｂの出力がＯＮに遷移する。第一受光部２７ｂの出力がＯＮに遷移するのと同時に、第一計測部２９ａは、第一遮断時間の計測を終了する。このとき、第二検出部２８の出力は、ＯＦＦ状態のままである。
【００５９】
そして、図３及び図４の（ｅ）に示すように、車椅子利用者Ｐが第二位置Ｐ２を超えて、かご２に完全に乗車し終えると、第二照射部２８ａが照射する多光軸の赤外線ビームの遮断状態が解消されて、第二検出部２８の第二受光部２８ｂの出力もＯＮに遷移する。第二受光部２８ｂの出力がＯＮに遷移するのと同時に、第二計測部２９ｂは、第二遮断時間の計測を終了する。このとき、第一検出部２７の出力は、ＯＮ状態のままである。
【００６０】
次に、本発明に係るエレベータ制御装置の動作について、図面を参照しつつ説明する。まず、かご２の利用者の行先階の登録処理について説明する。
【００６１】
かご２が行先階に到着すると、ドア制御装置２６は、ドア１，４を開く。図５に示すように、ドア１，４の戸開後、第一検出部２７及び第二検出部２８が有効となり、赤外線ビームの照射が開始される。そして、第一検出部２７及び第二検出部２８は、利用者の有無の検出を開始する（ステップＳ１）。
【００６２】
第一検出部２７及び第二検出部２８が利用者を検出すると（ステップＳ１でＹＥＳ）、利用者識別部２９に信号を送信する。
【００６３】
利用者識別部２９の第一計測部２９ａは、第一検出部２７から受信された信号が検出されている第一遮断時間（第一検出時間）を計測する。第一計測部２９ａは、利用者がかご２を乗り降りするごとに第一遮断時間を計測する。つまり、第一遮断時間は、利用者ごとに計測される。
【００６４】
利用者識別部２９の第二計測部２９ｂにおいても第一計測部２９ａと同様に第二検出部２８から受信された信号が検出されている第二遮断時間（第二検出時間）を計測している。
【００６５】
判定部２９ｅは、第一計測部２９ａによって計測される利用者ごとの第一遮断時間及び第二計測部２９ｂによって計測される利用者ごとの第二遮断時間から利用者が車椅子利用者であるか、一般利用者であるかを判定する。具体的には、判定部２９ｅは、第一計測部２９ａが計測した第一遮断時間が所定時間以上か否かを判定し、第二計測部２９ｂが計測した第二遮断時間が所定時間以上か否かを判定する。なお、第一計測部２９ａが計測する第一遮断時間は、図４における（ａ）から（ｂ）に変わるときから、（ｃ）から（ｄ）に変わるときまでの時間であり、第一検出部２７の出力状態がＯＦＦ状態にあるときの時間である。第二計測部２９ｂが計測する第二遮断時間は、図４における（ｂ）から（ｃ）に変わるときから、（ｄ）から（ｅ）に変わるときまでの時間であり、第二検出部２８の出力状態がＯＦＦ状態にあるときの時間である。
【００６６】
判定部２９ｅは、第一遮断時間が所定時間以上になり、且つ、第二遮断時間が所定時間以上になったときに、利用者が車椅子利用者であると識別する。一方、判定部２９ｅは、第一遮断時間及び第二遮断時間のいずれか一方が所定時間を超えなかったとき、利用者が一般利用者であると識別する。このように、判定部２９ｅは、第一遮断時間に基づく判定結果と第二遮断時間に基づく判定結果との両方の判定結果により利用者が車椅子利用者であるか否かを判定するため、一般利用者が乗場で滞留していることにより第一遮断時間のみが所定時間以上となっても、利用者が車椅子利用者であると誤って検出するようなことはない。
【００６７】
乗車識別部２９ｃは、第一検出部２７から受信した信号が第二検出部２８から受信した信号よりも先に検出したときに、利用者がかご２に乗車したと識別する。一方、降車識別部２９ｄは、第二検出部２８から受信した信号が第一検出部２７から受信した信号よりも先に検出したとき、利用者がかご２から降車したと識別する。
【００６８】
そして、判定部２９ｅは、降車識別部２９ｄから利用者が降車した旨の信号（利用者降車信号）を受信し、利用者が車椅子利用者であると判定したとき、制御部２４は、車椅子利用者が降車したと判定して（ステップＳ２でＹＥＳ）、車椅子仕様の行先階の登録が残されているかを判定する。つまり、制御部２４は、車椅子仕様階床記憶部２４ｄに車椅子仕様としての行先階の登録が残されているかを判定する（ステップＳ３）。
【００６９】
制御部２４が車椅子仕様の行先階の登録が残されていると判定したとき（ステップＳ３でＹＥＳ）、階床情報取得部２４ｂは、車椅子仕様の行先階として登録された残りの行先階をすべて一般仕様の行先階に変更する（ステップＳ４）。一方、制御部２４が車椅子仕様の行先階の登録が残されていないと判定したとき（ステップＳ３でＮＯ）、ドア１，４が戸閉していなければ（ステップＳ１０でＮＯ）、第一検出部２７及び第二検出部２８による利用者の有無の検出に戻る（ステップＳ１へ）。
【００７０】
また、判定部２９ｅは、降車識別部２９ｄから利用者が降車した旨の信号（利用者降車信号）を受信し、利用者が一般利用者であると判定したとき、制御部２４は、一般利用者が降車したと判断して（ステップＳ２でＮＯ、ステップＳ５でＹＥＳ）、ドア１，４が戸閉していなければ（ステップＳ１０でＮＯ）、第一検出部２７及び第二検出部２８による利用者の有無の検出に戻る（ステップＳ１へ）。
【００７１】
また、判定部２９ｅは、乗車識別部２９ｃから利用者が乗車した旨の信号を受信（利用者乗車信号）し、利用者が車椅子利用者であると判定したとき、制御部２４は、車椅子利用者が乗車したと判断して（ステップＳ２及びＳ５でＮＯ、ステップＳ６でＹＥＳ）、階床情報取得部２４ｂは、車椅子利用者の乗車を記憶する（ステップＳ７）。その後、ドア１，４が戸閉していなければ（ステップＳ８でＮＯ、ステップＳ１０でＮＯ）、第一検出部２７及び第二検出部２８による利用者の有無の検出に戻る（ステップＳ１へ）。
【００７２】
また、判定部２９ｅは、乗車識別部２９ｃから利用者が乗車した旨の信号（利用者乗車信号）を受信し、利用者が一般利用者であると判定したとき、制御部２４は、一般利用者が乗車したと判断して（ステップＳ２，Ｓ５及びＳ６でＮＯ、ステップＳ８でＹＥＳ）、階床情報取得部２４ｂは、一般利用者の乗車を記憶する（ステップＳ９）。その後、ドア１，４が戸閉していなければ（ステップＳ８でＮＯ）、第一検出部２７及び第二検出部２８による利用者の有無の検出に戻る（ステップＳ１へ）。
【００７３】
また、利用者がかご操作部２２の行先階設定部２２ａを操作して、行先階を設定すると、行先階設定部２２ａは、行先階に関する情報を階床情報取得部２４ｂに送信する。階床情報取得部２４ｂは、行先階設定部２２ａから行先階に関する情報を取得すると、ドア１，４が戸閉するまで、行先階設定部２２ａから行先階に関する情報を記憶して保持する。
【００７４】
そして、ドア１，４が戸閉する（ステップＳ１０でＹＥＳ）と、図６に示すように、階床情報取得部２４ｂは、利用者が乗車したか否かを判定する（ステップＳ１１）。階床情報取得部２４ｂは、利用者が乗車したと判定したとき、乗車した利用者の組み合わせを判定する（ステップＳ１１でＹＥＳ）。なお、階床情報取得部２４ｂは、利用者が乗車していないと判定したとき、つまり、利用者が降車のみしたと判定したとき、又は、乗車も降車もしていないと判定したとき（ステップＳ１１でＮＯ）、行先階の登録処理は、終了される。
【００７５】
階床情報取得部２４ｂが、乗車した利用者が一般利用者のみであると判定したとき（ステップＳ１２で「一般利用者のみ」を選択）、行先階設定部２２ａから行先階に関する情報が記憶されているか否かにより、行先階の新規登録があるか否かを判定する（ステップＳ１３）。階床情報取得部２４ｂが行先階の新規登録があると判定したとき（ステップＳ１３でＹＥＳ）、新規登録された行先階を、一般仕様を適用する行先階として行先階記憶部２４ｃに記憶して（ステップＳ１９）、行先階の登録処理は、終了される。なお、階床情報取得部２４ｂが行先階の新規登録がないと判定したとき（ステップＳ１３でＮＯ）、そのまま、行先階の登録処理は、終了される。
【００７６】
また、階床情報取得部２４ｂは、乗車した利用者が車椅子利用者のみであると判定したとき（ステップＳ１２で「車椅子利用者のみ」を選択）、行先階設定部２２ａから行先階に関する情報を取得したか否かにより、行先階の新規登録があるか否かを判定する（ステップＳ１４）。階床情報取得部２４ｂが行先階の新規登録があると判定したとき（ステップＳ１４でＹＥＳ）、新規登録された行先階を、車椅子仕様を適用する行先階として車椅子仕様階床記憶部２４ｄに記憶して（ステップＳ１９）、行先階の登録処理は、終了される。
【００７７】
しかし、車椅子利用者の行先階が既にかご操作部２２の行先階設定部２２ａに設定されているなどして、行先階設定部２２ａが操作されなかった場合（行先階が追加されなかった場合）、行先階設定部２２ａは、行先階に関する情報を階床情報取得部２４ｂに送信しない。この場合、階床情報取得部２４ｂは、行先階設定部２２ａから行先階に関する情報を取得できず、行先階に関する情報を記憶していないため、新規登録の行先階がないと判定し（ステップＳ１４でＮＯ）、既登録の行先階があるか否かを判定する（ステップＳ１８）。階床情報取得部２４ｂが既登録の行先階があると判定したとき（ステップＳ１８でＹＥＳ）、既登録のすべての行先階を、車椅子仕様を適用する行先階として車椅子仕様階床記憶部２４ｄに記憶して（ステップＳ２１）、行先階の登録処理は、終了される。なお、階床情報取得部２４ｂが既登録の行先階がないと判定したとき（ステップＳ１８でＮＯ）、乗車した利用者の組み合わせの判定（ステップＳ１２）に戻り、行先階の新規登録を待つことになる。
【００７８】
また、階床情報取得部２４ｂは、乗車した利用者が一般利用者と車椅子利用者の両方であると判定したとき（ステップＳ１２で「一般利用者と車椅子利用者」を選択）、行先階設定部２２ａから行先階に関する情報を取得したか否かにより、行先階の新規登録があるか否かを判定する（ステップＳ１５）。階床情報取得部２４ｂは、行先階の新規登録があると判定したとき（ステップＳ１５でＹＥＳ）、既登録の行先階があるか否かを判定する（ステップＳ１６）。階床情報取得部２４ｂが既登録の行先階があると判定したとき（ステップＳ１６でＹＥＳ）、既登録の行先階を、車椅子仕様を適用する行先階として車椅子仕様階床記憶部２４ｄに記憶する（ステップＳ１７）とともに、新規登録された行先階についても車椅子仕様を適用する行先階として車椅子仕様階床記憶部２４ｄに記憶して（ステップＳ２２）、行先階の登録処理は、終了される。なお、階床情報取得部２４ｂが既登録の行先階がないと判定したとき（ステップＳ１６でＮＯ）、新規登録された行先階を、車椅子仕様を適用する行先階として車椅子仕様階床記憶部２４ｄに記憶して（ステップＳ２２）、行先階の登録処理は、終了される。
【００７９】
しかし、利用者の行先階が既にかご操作部２２の行先階設定部２２ａに設定されているなどして、行先階設定部２２ａが操作されなかった場合（行先階が追加されなかった場合）、行先階設定部２２ａは、行先階に関する情報を階床情報取得部２４ｂに送信しない。この場合、階床情報取得部２４ｂは、行先階設定部２２ａから行先階に関する情報を取得されず、行先階に関する情報を記憶していないため、行先階の新規登録がないと判定し（ステップＳ１５でＮＯ）、既登録の行先階があるか否かを判定する（ステップＳ１８）。階床情報取得部２４ｂが既登録の行先階があると判定したとき（ステップＳ１８でＹＥＳ）、既登録のすべての行先階を、車椅子仕様を適用する行先階として車椅子仕様階床記憶部２４ｄに記憶して（ステップＳ２１）、行先階の登録処理は、終了される。なお、階床情報取得部２４ｂが既登録の行先階がないと判定したとき（ステップＳ１８でＮＯ）、乗車した利用者の組み合わせの判定（ステップＳ１２）に戻り、行先階の新規登録を待つことになる。
【００８０】
ここで、行先階の登録処理について、具体例を基に説明する。例えば、車椅子利用者のみが３階でかご２を待っている。車椅子利用者の行先階は、６階である。かご２には、既に一般利用者が乗車しており、一般仕様の行先階として４階と５階が既に登録されている。かご２が３階に到着して、車椅子利用者がかご２に乗車する。車椅子利用者の行先階である６階は、行先階として登録されていないため、車椅子利用者は、行先階設定部２２ａを操作して、行先階として６階を設定する。制御部２４は、利用者識別部２９により、車椅子利用者のみが乗車したと判定して、６階を車椅子仕様の行先階として登録する。
【００８１】
また、他の例を説明する。車椅子利用者のみが３階でかご２を待っている。車椅子利用者の行先階は、４階である。かご２には、既に一般利用者が乗車しており、一般仕様の行先階として４階と５階が既に登録されている。かご２が３階に到着して、車椅子利用者がかご２に乗車する。車椅子利用者の行先階である４階は、行先階として既に登録されているため、車椅子利用者は、行先階を設定しない。制御部２４は、利用者識別部２９により、車椅子利用者のみが乗車したと判定して、既登録の行先階である４階と５階を車椅子仕様の行先階として再登録する。
【００８２】
そして、かご２が４階に到着して、車椅子利用者がかご２から降車する。制御部２４は、利用者識別部２９により、車椅子利用者が降車したと判定して、既登録の行先階である５階を一般仕様の行先階として再登録する。
【００８３】
また、他の例を説明する。車椅子利用者と一般利用者が３階でかご２を待っている。車椅子利用者の行先階は、５階である。一般利用者の行先階は、６階である。かご２には、既に一般利用者が乗車しており、一般仕様の行先階として４階と５階が既に登録されている。かご２が３階に到着して、車椅子利用者と一般利用者とがかご２に乗車する。車椅子利用者の行先階である５階は、行先階として既に登録されているため、車椅子利用者は、行先階を設定しない。一般利用者の行先階である６階は、行先階として登録されていないため、一般利用者は、行先階設定部２２ａを操作して、行先階として６階を設定する。制御部２４は、利用者識別部２９により、車椅子利用者と一般利用者が乗車したと判定して、既登録の行先階である４階と５階を車椅子仕様の行先階として再登録し、更に、新規登録の６階を車椅子仕様の行先階として登録する。
【００８４】
そして、かご２が５階に到着して、車椅子利用者がかご２から降車する。制御部２４は、利用者識別部２９により、車椅子利用者が降車したと判定して、既登録の行先階である６階を一般仕様の行先階として再登録する。
【００８５】
このように、エレベータの利用者が共通の行先階設定部２２ａを操作して行先階を選択しても、車椅子仕様の適用を受ける車椅子利用者の行先階に対して車椅子仕様を適用できる。
【００８６】
次に、利用者が乗場操作盤２２Ｂに設けられた乗場側操作部１９を操作して、かご２を乗場３に呼び、乗場３からかご２に乗車するときについて、図３及び図７を参照しつつ説明する。かご２が乗場３に到着して、ドア制御装置２６は、ドア１，４を開く。このとき、ドア１，４は、一般仕様の戸開時間（例えば、初期値として５秒間）で開かれる（ステップＳ３１）。
【００８７】
そして、この戸開時間の間に、第一検出部２７又は第二検出部２８が利用者を検出すると、第一検出部２７又は第二検出部２８は、制御部２４の受信部２４ａ及び利用者識別部２９に利用者検出信号を送信する。なお、ドア制御装置２６は、第一検出部２７のみが利用者を一定時間以上検出しているとき、利用者はかご２に乗車する意思がないと判断して、ドア１，４を戸閉する。
【００８８】
利用者識別部２９に利用者検出信号が受信されると（ステップＳ３２でＹＥＳ）、かご制御装置２５は、ドア制御装置２６に戸開時間初期化信号を送信して、ドア制御装置２６は、戸開時間を初期値（５秒間）に戻し、つまり、戸開時間を延長する（ステップＳ３３）。
【００８９】
ドア制御装置２６は、第一検出部２７又は第二検出部２８から受信部２４ａへの利用者検出信号の受信が途切れると（ステップＳ３２でＮＯ）、ドア１，４の戸開時間が設定された戸開時間を経過したか否かを判定する（ステップＳ３４）。ドア制御装置２６は、ドア１，４の戸開時間が設定された戸開時間を経過したと判断するまで（ステップＳ３４でＮＯ）、ドア１，４の戸開を継続する（ステップＳ３５）。
【００９０】
そして、ドア制御装置２６は、ドア１，４の戸開時間が設定された戸開時間を経過したと判断すると（ステップＳ３４でＹＥＳ）、ドア１，４の戸閉動作を開始する（ステップＳ３６）。
【００９１】
このように、利用者が乗場側操作部１９を操作して、かご２を乗場３に呼び、かご２に乗車する場合（利用者のいる階床が車椅子仕様を適用する行先階である場合を除く）、ドア１，４の戸開時間は、一般仕様の戸開時間に設定されている。一般的に、一般仕様の戸開時間は、約５秒間であり、車椅子仕様の戸開時間は、約１０秒間であるため、一般仕様の戸開時間は、車椅子仕様の戸開時間より短い。このため、車椅子利用者がかご２に乗車する場合、車椅子利用者にとっては戸開時間が短いが、一般仕様の戸開時間の間に、車椅子利用者が第一検出部２７又は第二検出部２８の何れかの利用者検出部２３に検出される位置Ｐ１，Ｐ２まで移動できれば、ドア制御装置２６は、戸開時間が延長されるように構成されている。よって、ドア制御装置２６がドア１，４を一般仕様で戸開する場合であっても、車椅子利用者がかご２に乗車する間は、ドア１，４は、戸開し続ける。従って、車椅子利用者は、ドア１，４が車椅子仕様の戸開時間で戸開するときと同様にかご２に乗車することができる。
【００９２】
また、車椅子利用者も利用するエレベータであるにも関わらず、ドア１，４を一般仕様の戸開時間で戸開することができるため、かご２が乗場３に到着したときに、利用者が他のエレベータのかご２に乗車するなどして不在であるときであっても、一般仕様の戸開時間でドア１，４を閉じることができる。つまり、車椅子利用者の利用に備えて、車椅子仕様の戸開時間で戸開する必要がないため、かご２に乗車する利用者が不在のときの戸開時間を短縮することができる。よって、エレベータの運用効率を上げることができる。
【００９３】
次に、かご２のドア１，４の開閉制御について図３及び図８を参照しつつ説明する。かご２が行先階に到着して（ステップＳ４１）、ドア制御装置２６は、ドア１，４を開く。このとき、行先階が車椅子仕様を適用する行先階の場合（ステップＳ４２でＹＥＳ）、ドア１，４は、車椅子仕様の戸開時間で開かれる（ステップＳ４３）。一方、行先階が一般仕様を適用する行先階であり、車椅子仕様を適用する行先階ではない場合（ステップＳ４２でＮＯ）、ドア１，４は、一般仕様の戸開時間で開かれる（ステップＳ４４）。
【００９４】
このように、利用者検出部２３は、エレベータの利用者の中から車椅子仕様を適用する車椅子利用者と一般利用者とを区別して判別できる。そして、車椅子利用者の行先階は、利用者検出部２３が車椅子利用者を検出した階床で車椅子利用者により若しくは車椅子利用者と共にかご２に乗り込んだ利用者により新たに登録された新規登録の行先階又は他の階床で設定されて既に登録されていた既登録の行先階のいずれかの行先階に含まれる。制御部２４は、これらのすべての行先階に車椅子仕様を適用する。よって、一般利用者と車椅子利用者とが共通の行先階設定部２２ａを操作して行先階を選択しても、制御部２４は、車椅子利用者の行先階に車椅子仕様を適用できる。そして、常に車椅子仕様を適用する場合と比べて、エレベータの運用効率の低下を抑えられる。
【００９５】
しかし、車椅子利用者がかご２に乗り込んだ際に既に車椅子利用者の行先階が行先階設定部２２ａに行先階として登録されている場合、車椅子利用者は、行先階設定部２２ａに行先階を設定しない。このため、利用者検出部２３が車椅子利用者を検出した階床で行先階設定部２２ａに行先階が設定されなかったときは、既に行先階として設定されている既登録の行先階に車椅子仕様を適用する。よって、一般利用者と車椅子利用者とが共通の行先階設定部２２ａを操作しない場合においても、制御部２４は、車椅子利用者の行先階に車椅子仕様を適用できる。そして、常に車椅子仕様を適用する場合と比べて、エレベータの運用効率の低下を抑えられる。
【００９６】
また、制御部２４は、車椅子利用者の行先階である可能性のあるすべての行先階に車椅子仕様を適用するため、車椅子利用者の行先階以外の行先階にも車椅子仕様が適用されている。しかしながら、利用者検出部２３は、かご２に乗車したすべての車椅子利用者がかご２から降りたことを検出できるため、すべての車椅子利用者がかご２から降りた後、制御部２４は、車椅子仕様を適用する行先階として登録されたすべての行先階を取り消す。よって、エレベータは、一般用のエレベータとして運用できるようになる。従って、車椅子利用者に車椅子仕様を確実に提供しつつ、エレベータの運用効率の低下を抑えることができる。
【００９７】
また、利用者識別部２９は、少なくとも第一検出部２７及び第二検出部２８のいずれかの検出部が利用者を検出した遮断時間（検出時間）から、利用者が検出部の検出位置を通過するのに要する時間を検出する。そして、利用者識別部２９は、遮断時間が所定時間以上であれば、利用者が検出位置を通過するのに時間のかかる適用者であると識別できる。一方、利用者識別部２９は、遮断時間が所定時間未満であれば、利用者が検出位置を通過するのに時間のかからない一般利用者であると識別できる。
【００９８】
また、第一検出部２７及び第二検出部２８がかご２に乗車する利用者又は降車する利用者の通路上の第一位置Ｐ１及び第二位置Ｐ２を通過する利用者を検出することができる。そして、乗車識別部２９ｃは、第一検出部２７及び第二検出部２８が利用者を検出する順序を検出することにより、利用者がかご２の外側から内側に向かっているか否かを識別することができる。つまり、乗場側の第一位置Ｐ１にいる利用者を検出する第一検出部２７が第二検出部２８より先に利用者を検出すると、利用者は、乗場３側の第一位置Ｐ１からかご２側の第二位置Ｐ２に向かっていることが判断できる。よって、利用者の進行方向が特定でき、乗車識別部２９ｃは、かご２に乗車する利用者を検出することができる。
【００９９】
また、降車識別部２９ｄは、第一検出部２７及び第二検出部２８が利用者を検出する順序を検出することにより、利用者がかご２の内側から外側に向かっているか否かを識別することができる。つまり、かご２側の第二位置Ｐ２にいる利用者を検出する第二検出部２８が第一検出部２７より先に利用者を検出すると、利用者は、かご２側の第二位置Ｐ２から乗場３側の第一位置Ｐ１に向かっていることが判断できる。よって、利用者の進行方向が特定でき、降車識別部２９ｄは、かご２に降車する利用者を検出することができる。
【０１００】
よって、本実施形態に係るエレベータ制御装置２１によれば、エレベータの利用者が共通の行先階設定部２２ａを操作して行先階を選択しても、車椅子仕様の適用を受ける車椅子利用者の行先階に対して車椅子仕様を適用できるとともに、エレベータの運用効率が低下しにくい。
【０１０１】
なお、本発明に係るエレベータ制御装置は、上記実施形態の構成に限定されるものではない。また、本発明に係るエレベータ制御装置は、上記した作用効果に限定されるものでもない。本発明に係るエレベータ制御装置は、本発明の要旨を逸脱しない範囲で種々の変更が可能である。
【０１０２】
上記の実施形態では、車椅子利用者の特性に応じてドア１，４の戸開時間が長い車椅子利用者仕様を有するエレベータのエレベータ制御装置２１を例に説明したが、これに限定されるものではない。例えば、高齢者、子供などのエレベータの利用者の特性に応じてドア１，４を開閉する特別仕様を有していてもよい。
【０１０３】
上記の実施形態では、車椅子利用者がかご２を降車するのに適した戸開時間でドア１，４を開閉する特別仕様を例に説明したが、これに限定されるものではない。例えば、利用者ごとに設定された戸開時間でドア１，４を開く特別仕様であってもよい。また、エレベータ制御装置は、適用者がかご２に乗車するのにかかる時間を計測する計測手段を備え、かご２に乗車するときにかかった時間を戸開時間として、ドア１，４を開く特別仕様であってもよい。
【０１０４】
上記の実施形態では、かご２の入口と出口とが同じであるエレベータを例に説明したが、これに限定されるものではない。例えば、本発明に係るエレベータ制御装置は、かご２の入口と出口とが異なるエレベータに適用されてもよい。
【０１０５】
上記の実施形態では、かご操作盤２２Ａは、かご２内に一つ設ける例を説明したが、これに限定されるものではない。つまり、かご操作盤２２Ａは、かご２の内部に複数設けられていてもよい。そして、これらの複数のかご操作盤２２Ａは、互いに同じ機能を有するものであってもよい。
【０１０６】
上記の実施形態では、行先階設定部２２ａは、押しボタンスイッチである例を説明したが、これに限定されるものではない。例えば、行先階設定部２２ａは、タッチパネル上に表示されたアイコンにタッチして行先階を選択するものであってもよい。また、行先階設定部２２ａは、利用者の音声を認識して、行先階を選択するものであってもよい。
【０１０７】
上記の実施形態では、行先階設定部２２ａは、かご制御装置２５のかご操作部２２に設けられる例を説明したが、これに限定されるものではない。例えば、行先階設定部２２ａは、乗場操作盤２２Ｂに設けられていてもよい。
【０１０８】
上記の実施形態では、適用者検出部としての利用者検出部２３は、車椅子利用者を検出するものである例を説明したが、これに限定されるものではない。つまり、適用者検出部は、特別仕様を適用する適用者を検出できるものであれば、どのようなものであってもよい。例えば、適用者が子供のとき、適用者検出部は、かごに乗車する利用者の背丈を認識可能な認識部と、該認識部が認識した利用者の背丈から利用者が子供か否かを識別する識別部とを備えるものであってもよい。または、適用者検出部は、かごに乗車する利用者の顔を認識可能な認識部と、該認識部が認識した利用者の顔年齢から利用者が子供又は高齢者か否かを識別する識別部とを備えるものであってもよい。更に、適用者検出部は、かごに乗車する利用者の姿を撮像可能な撮像部と、該撮像部が撮像した利用者の姿の特徴部分から利用者が子供又は高齢者であるか否かを識別する識別部とを備えるものであってもよい。
【０１０９】
上記の実施形態では、適用者検出部としての利用者検出部２３は、車椅子利用者がかご２に乗り込んだことを検出するために、第一検出部２７と第二検出部２８とを備える例を説明したが、これに限定されるものではない。例えば、適用者検出部は、適用者と該適用者の進行方向とが検出できる画像処理装置であってもよい。
【０１１０】
上記の実施形態では、判定部２９ｅは、第一計測部２９ａが計測する第一遮断時間及び第二計測部２９ｂが計測する第二遮断時間が所定の通過時間以上であれば、利用者が車椅子利用者であると判定する例を説明したが、これに限定されるものではない。例えば、第一計測部が計測する第一遮断時間又は第二計測部が計測する第二遮断時間のいずれか一方が所定の通過時間以上であれば、利用者が車椅子利用者であると判定してもよい。
【符号の説明】
【０１１１】
１…かごドア、２…かご、３…乗場、４…乗場ドア、５…ガイドレール、６…釣合い錘（カウンターウェイト）、７…ロープ、８…巻上機、９…昇降路、１０…返し車、１１…制御盤、１２…調速機、１３…緩衝器、１４…トラクションシーブ、１５…（かごの）乗降口、１６…かご本体、１６ａ…上方フレーム、１６ｂ…下方敷居、１７…かご側ドア開閉装置、１８…（乗場の）乗降口、１９…乗場側操作部、２１…エレベータ制御装置、２２…かご操作部、２２Ａ…かご操作盤、２２Ｂ…乗場操作盤、２２ａ…行先階設定部、２２ｂ…戸開延長操作部、２２ｃ…開閉操作部、２３…利用者検出部、２４…制御部、２４ａ…受信部、２４ｂ…階床情報取得部、２４ｃ…行先階記憶部、２４ｄ…車椅子仕様階床記憶部、２５…かご制御装置、２６…ドア制御装置、２７…第一検出部、２７ａ…第一照射部、２７ｂ…第一受光部、２８…第二検出部、２８ａ…第二照射部、２８ｂ…第二受光部、２９…利用者識別部、２９ａ…第一計測部、２９ｂ…第二計測部、２９ｃ…乗車識別部、２９ｄ…降車識別部、２９ｅ…判定部、Ｐ１…第一位置、Ｐ２…第二位置、Ａ１…第一照射範囲、Ａ２…第二照射範囲、Ｐ…車椅子利用者
【図１】
0006332750.tif 000002
【図２】
0006332750.tif 000003
【図３】
0006332750.tif 000004
【図４】
0006332750.tif 000005
【図５】
0006332750.tif 000006
【図６】
0006332750.tif 000007
【図７】
0006332750.tif 000008
【図８】
0006332750.tif 000009